(57)【要約】      （修正有）【課題】簡素な構成で、製造負担および製造コストの増加や冷水コックの劣化を招くことなく、充分な殺菌効果を得ることが可能な飲料サーバーを提供すること。【解決手段】貯水タンク３０と、貯水タンク３０内の飲料水を外部に注出するための冷水コック４０と、貯水タンク３０と冷水コック４０とを連結する第１配管９０とを備える飲料サーバーであって、温水を供給する温水供給源と、温水供給源に一端が連結されるとともに第１配管９０の中間部に他端が連結される第２配管９１とが設けられ、第１配管９０内に、飲料水の流れを規制する仕切部材８０が配置されている飲料サーバー。【選択図】図２
2016098025.tif 000002
【特許請求の範囲】
【請求項１】
貯水タンクと、前記貯水タンク内の飲料水を外部に注出するための冷水コックと、前記貯水タンクと前記コックとを連結する第１配管とを備える飲料サーバーであって、
温水を供給する温水供給源と、前記温水供給源に一端が連結されるとともに前記第１配管の中間部に他端が連結される第２配管とが設けられ、
前記第１配管内に、飲料水の流れを規制する仕切面を有した仕切部材が配置されていることを特徴とする飲料サーバー。
【請求項２】
前記仕切部材は、前記仕切面が、前記第１配管に対する前記第２配管の連結方向に交差するように配置されていることを特徴とする請求項１に記載の飲料サーバー。
【請求項３】
前記温水供給源は、前記第１配管よりも下側に配置され、
前記第２配管は、前記第１配管に対して下側から連結されていることを特徴とする請求項１または請求項２に記載の飲料サーバー。
【請求項４】
前記仕切部材は、前記コック側に配置されるコック側端部を有し、
前記コック側端部は、前記コック内に挿入されるとともに、孔状または切り欠き状またはメッシュ状のコック側流路形成部が設けられていることを特徴とする請求項１乃至請求項３のいずれかに記載の飲料サーバー。
【請求項５】
前記仕切部材は、前記貯水タンク側に配置されるタンク側端部を有し、
前記タンク側端部は、前記第１配管の内壁面に接触して配置されるとともに、孔状または切り欠き状またはメッシュ状のタンク側流路形成部が設けられていることを特徴とする請求項１乃至請求項４のいずれかに記載の飲料サーバー。
【請求項６】
前記仕切部材の幅は、前記第１配管の内径寸法以上に設定され、前記仕切部材は、前記コック内に挿入され、前記第１配管の内壁面に接触して配置されていることを特徴とする請求項１乃至請求項５のいずれかに記載の飲料サーバー。
【請求項７】
前記貯水タンクと前記温水供給源とを連結する第３配管を更に備えることを特徴とする請求項１乃至請求項６のいずれかに記載の飲料サーバー。
【発明の詳細な説明】
【技術分野】
【０００１】
本発明は、飲料水を注出する飲料サーバー、特に十分な殺菌効果を得ることが可能な飲料サーバーに関する。
【背景技術】
【０００２】
飲料水を供給する飲料サーバーは、様々なタイプが市販されているが、飲料水に対する使用者の関心が高くなるにつれ、飲料水の安全性の確保と、飲料水の官能面や健康維持面での品質追求が高く要求されるようになってきた。飲料水の品質追求のため、近年ではミネラルウォーター等を飲料水とする飲料サーバーが一般的となっているが、この場合、ミネラルウォーター等には塩素等の殺菌力が付加されていないため、飲料水中での微生物の増殖抑制が安全性の確保の面で重要な課題となっている。
【０００３】
飲料サーバーにおける飲料水中での微生物の増殖は、飲料水の長期間使用、又は、長時間に渡る飲料サーバー中での飲料水の停滞によって、その可能性が高くなる。また、新品の飲料サーバーでの使用開始直後、もしくは、使用数日後でも、温水コックから注出された温水では微生物は検出されない。しかしながら、冷水コックから注出された冷水では、一般細菌数が１ｍｌあたり１０２個以下という水道基準法を上回り、１０3〜１０４個で推移するといった飲料サーバーの存在が報告されている。これらのことから、冷水の供給経路である冷水タンク、冷水タンクから冷水コックへの配管系統、冷水コックにおける飲料水の殺菌及び微生物の増殖抑制が可能である飲料サーバー、特に、前述の通り報告された事実に対して実用上十分な殺菌効果を有する飲料サーバーが求められている。
【０００４】
従来は、飲料サーバー内での微生物の増殖を抑制するために、飲料サーバー内の配管系統に飲料サーバーの外部から殺菌剤や高温の熱水を注入・循環する殺菌、或いは飲料サーバー内に除菌濾過装置や紫外線殺菌装置などを設けて殺菌を行っていた。一方、これに対して、コストおよびメンテナンスの観点から、容器内の飲料水を注出する飲料サーバーの配管系統の特定部位にヒータを配置することにより、各種殺菌装置などを別途設けることなく、配管系統の特定部位を加熱殺菌することが行われている。
【０００５】
このような加熱殺菌機能を有する飲料サーバーとして、冷蔵機能を有した冷水タンクと、第１配管によって冷水タンクに連結された冷水コックと、加熱機能を有した温水タンクとを備え、温水タンクおよび冷水コックを連結する第２配管と循環ポンプとを設けることにより、第２配管を通して温水タンク内の温水を冷水コック内や冷水タンク内に循環させ、冷水コック、冷水タンク、および配管系統を加熱殺菌する飲料サーバーが知られている（例えば特許文献１を参照）。
【先行技術文献】
【特許文献】
【０００６】
【特許文献１】特開２００５−２０７６０４号公報
【発明の概要】
【発明が解決しようとする課題】
【０００７】
ところが、特許文献１に記載の飲料サーバーでは、冷水コック内に温水を流通させるための温水流路を特別に形成する必要があることから、温水流路を有さない普及品の冷水コックを利用することができず、製造負担や製造コストが増加するという問題がある。
【０００８】
また、冷水コックの一部の部品は、プラスチック等の耐熱性が低い材料から形成されていることから、この様な冷水コック内の温水流路に殺菌効果を奏する約６５℃以上の温水を導入すると、熱により冷水コックの一部の部品の劣化が促進され易いという問題もある。
【０００９】
また、上述した冷水コックに第２配管を連結した場合の問題を回避するために、温水タンクに連結され、温水を供給する第２配管の一端を冷水タンクに直接的に連結することも考えられるが、この場合、冷水コックや、冷水タンクと冷水コックとを連結する第１配管に温水が供給されず、冷水コックおよび第１配管を加熱殺菌することができないという問題が生じる。
【００１０】
さらに、上述した冷水コックに第２配管を連結した場合の問題を回避する他の方法として、温水タンクに連結され温水を供給する第２配管の一端を、冷水タンクと冷水コックとを連結する第１配管に連結することも考えられる。しかしながら、この場合、第１配管内において、第１配管および第２配管の連結箇所から冷水タンク側への温水の流れは形成され易いものの、前記連結箇所から冷水コック側への温水の流れが形成され難いため、第１配管の冷水コック側に充分に温水を導入することができず、加熱殺菌処理が不十分になるという問題がある。
【００１１】
そこで、本発明は、これらの問題点を解決するものであり、普及品のコックへも取替えが可能であり、簡素な構成で、製造負担および製造コストの増加や冷水コックの劣化を招くことなく、上述した１０３〜１０４個で推移した飲料サーバー中の微生物に対しても実用上充分な殺菌効果を得ることが可能な飲料サーバーを提供することを目的とするものである。
【課題を解決するための手段】
【００１２】
本発明は、貯水タンクと、前記貯水タンク内の水を外部に注出するための冷水コックと、前記貯水タンクと前記コックとを連結する第１配管とを備える飲料サーバーであって、温水を供給する温水供給源と、前記温水供給源に一端が連結されるとともに前記第１配管の中間部に他端が連結される第２配管とが設けられ、前記第１配管内に、前記第１配管の中間部から前記コック側への温水の流れを形成する仕切面を有した仕切部材が配置されていることにより、前記課題を解決するものである。
なお、本明細書内における用語「中間部」は、第１配管の両端以外の部分を意味しており、第１配管の中央部の意味には限定されない。
【発明の効果】
【００１３】
本請求項１に係る発明によれば、温水を供給する温水供給源と、温水供給源に一端が連結されるとともに、貯水タンクとコックとを連結する第１配管の中間部に他端が連結される第２配管とを設け、第１配管内に、飲料水の流れを規制する仕切部材を配置することにより、第１配管のコック側にも温水を導入することが可能であるため、簡素な構成で、製造負担および製造コストの増加や冷水コックの劣化を招くことなく、１０３〜１０４個で推移した飲料サーバー中の微生物に対しても実用上充分な殺菌効果を得ることができる。
また、本請求項１に係る発明では、冷水コックに特殊な加工を施す必要がないため、普及品のコックを利用することもできる等、コックの選択自由度を確保することができる。
【００１４】
本請求項２に係る発明によれば、仕切部材は、仕切面が、第１配管に対する第２配管の連結方向に交差するように配置されていることにより、第１配管の中間部からコック側への温水の流れを良好に形成することができる。
本請求項３に係る発明によれば、温水供給源を第１配管よりも下側に配置し、第２配管を第１配管に対して下側から連結することにより、ポンプを設置しなくとも、水の温度差による対流現象を利用して、温水供給源から供給される温水を第１配管に円滑に導入することができる。
本請求項４に係る発明によれば、仕切部材のコック側端部がコック内に挿入されるとともに、コック側端部に孔状または切り欠き状またはメッシュ状のコック側流路形成部が設けられていることにより、第１配管のコック側およびコック内まで温水を確実に導入させつつも、飲料水の円滑な流動を確保することができ、より殺菌効果を高めることができる。
本請求項５に係る発明によれば、仕切部材のタンク側端部が第１配管の内壁面に接触して配置されるとともに、タンク側端部に孔状または切り欠き状またはメッシュ状のタンク側流路形成部が設けられていることにより、温水中の泡や水圧によって仕切部材が動くことを抑制しつつ、飲料水の円滑な流動を確保することができ、より殺菌効果を高めることができる。
本請求項６に係る発明によれば、仕切部材の幅が第１配管の内径寸法以上に設定され、仕切部材が、コック内に挿入され、前記第１配管の内壁面に接触して配置されていることにより、第１配管内に仕切部材を強固に固定し、水圧によって仕切部材が動くことを抑制することが可能であるため、飲料水の流動を安定化させることができる。
本請求項７に係る発明によれば、貯水タンクと温水供給源とを連結する第３配管を更に備えることにより、温水供給源から供給される温水を、温水供給源、貯水タンク、および配管系で循環させることが可能であるため、これら各部を効率的に加熱殺菌することができる。
【図面の簡単な説明】
【００１５】
【図１】本発明の一実施形態に係る飲料サーバーの内部構造を示す概略図。
【図２】加熱殺菌時における温水の流れを示す説明図。
【図３】冷水注出時における冷水の流れを示す説明図。
【図４】第１実験例の概略構成図、および、各測定箇所の温度測定結果を示すグラフ。
【図５】第２実験例の概略構成図、各測定箇所の温度測定結果を示すグラフ、および、微生物検査結果を示す表。
【図６】第３実験例の概略構成図、各測定箇所の温度測定結果を示すグラフ、および、微生物検査結果を示す表。
【図７】第４実験例の概略構成図、各測定箇所の温度測定結果を示すグラフ、および、微生物検査結果を示す表。
【発明を実施するための形態】
【００１６】
以下に、本発明の一実施形態に係る飲料サーバー１０について、図面に基づいて説明する。
【００１７】
まず、飲料サーバー１０は、ミネラルウォーター等の飲料水を注出するものであり、図１〜３に示すように、飲料水が充填された水ボトル２０と、冷却機能を有した冷水タンク３０と、冷水タンク３０内の冷水を外部に注出する冷水コック４０と、加熱保温機能を有した温水タンク５０と、温水タンク５０内の温水を外部に注出する温水コック６０と、飲料水を加熱殺菌するためのボイラー７０と、ボイラー７０から供給される温水の流れを規制する仕切部材８０と、各部間を連結するステンレス等の金属から形成された第１〜第５配管９０〜９４とを備えている。そして、本実施形態における飲料サーバー１０おいては、冷水タンク３０が貯水タンク、ボイラー７０が温水供給源となる。
【００１８】
水ボトル２０は、加熱殺菌もしくは無菌充填された飲料水が充填され、冷水タンク３０や温水タンク５０に飲料水を供給するボトルであり、図１に示すように、水ボトル２０の開口部を下方に向けた状態で冷水タンク３０の上側に設置される。
【００１９】
なお、本実施形態では、飲料サーバー１０の最上部に水ボトル２０を設置し、水ボトル２０内の飲料水の自然落下によって、冷水タンク３０や温水タンク５０に飲料水を供給するように構成されているが、水ボトル２０の設置態様はこれに限定されず、例えば、水ボトル２０を飲料サーバー１０の下部等に設置し、ポンプを用いて水ボトル２０内の飲料水を汲み上げ、冷水タンク３０や温水タンク５０に飲料水を供給するように構成してもよい。
【００２０】
冷水タンク３０は、水ボトル２０から供給された飲料水を５℃〜１５℃程度の低温状態で貯留するものであり、具体的には、冷水タンク３０に供給された飲料水は、コンデンサー（図示しない）やコンプレッサー（図示しない）等から構成される冷却機構によって冷却され、冷水タンク３０の周囲には、保冷状態を維持する断熱材（図示しない）が配置されている。
【００２１】
冷水コック４０は、図１や図２に示すように、第１配管９０によって冷水タンク３０に連結されている。本実施形態においては、第１配管９０の冷水コック４０側端部と冷水コック４０の第１配管９０への連結部に、脱着しやすく密閉性の高いネジ構造を設けて連結しているが、この連結方法は特に限定されない。
なお、本実施形態では、冷水コック４０は、使用者が操作することで開閉可能な手動式のコックとして設けたが、冷水コック４０の具体的態様は如何なるものでもよく、例えば、電気制御によって開閉を行うように冷水コック４０などで構成してもよい。
【００２２】
温水タンク５０は、冷水タンク３０および第４配管９３を通じて水ボトル２０から供給された飲料水を６０℃〜９５℃程度の高温状態で貯留するものであり、具体的には、温水タンク５０の周囲には、温水タンク５０内の飲料水を加熱するヒータ（図示しない）が設置されている。
【００２３】
温水コック６０は、図１に示すように、第５配管９４によって温水タンク５０に連結されている。温水コック６０および連結方法の具体的構成については、前述した冷水コック４０と同様である。
【００２４】
また、ボイラー７０は、図１に示すように、一端が第１配管９０の中間部に連結された第２配管９１と、一端が冷水タンク３０に連結された第３配管９２とが連結され、冷水タンク３０および配管系に温水を供給するものである。具体的には、ボイラー７０は、飲料サーバー１０の運転モードを通常使用モードから加熱殺菌モードに切り替えた際に、第３配管９２を通じて冷水タンク３０から供給された飲料水を加熱し、第２配管９１、第１配管９０、冷水タンク３０、および第３配管９２に温水を供給する。なお、上述した加熱殺菌モード時には、冷水タンク３０の冷却機構はオフの状態に切り替えられる。
【００２５】
また、本実施形態では、ボイラー７０が飲料サーバー１０の最下部に設置され、第２配管９１が、ボイラー７０から上方に向けて延びるとともに第１配管９０に下方から連結されていることにより、ポンプ等を設置することなく、水の温度差による対流現象を利用して、ボイラー７０からの温水を冷水タンク３０および各配管９０〜９２に供給するように構成されているが、ボイラー７０からの温水をポンプ等で各部に供給するように構成してもよい。
【００２６】
仕切部材８０は、図２や図３に示すように、ステンレス等の耐熱性および強度を備えた材料から平板状に形成され、第１配管９０内に固定状態で設置されて、第１配管９０内におけるボイラー７０から供給される温水の流れを形成するものである。
【００２７】
平板状の仕切部材８０の上面および下面は、図２や図３に示すように、飲料水の流れを規制する仕切面８１として機能し、仕切面８１は、第１配管９０に対する第２配管９１の連結方向に交差するように配置され、本実施形態では、仕切面８１は上下方向に直交するように配置されている。仕切部材８０の挿入によって、第１配管９０内の空間は、上側領域（第１領域）９０ａおよび下側領域（第２領域）９０ｂに仕切られる。
【００２８】
仕切部材８０の幅は、図２に示すように、第１配管９０の内径寸法と同等もしくは内径寸法よりも僅かに大きい内径寸法以上に設定され、仕切部材８０は第１配管９０内に圧入されている。なお、仕切部材８０の固定方法については、上記の様な圧入に限定されず、例えば、第１配管９０と仕切部材８０とを溶接したり、第１配管９０の内周面に凹溝を形成し、当該凹溝に仕切部材８０を嵌合させたり、冷水コック４０に仕切部材８０を保持させる等、如何なるものでもよい。
【００２９】
仕切部材８０の長さは、ボイラー７０から送られる温水が温度を保ったまま、冷水コック４０内へいきわたらせ、且つ、冷水タンク３０へ戻せる流れを作り出せるならば、如何なる長さでもよい。しかしながら、第２配管９１内と同等の温度の温水を冷水コック４０内へ確実に流すためには、図２や図３に示すように、仕切部材８０のコック側端部８２は冷水コック４０内に挿入され、また、仕切部材８０のタンク側端部８４は第１配管９０の内壁面に接触して配置されることが好ましい。さらに、仕切部材８０のコック側端部８２及びタンク側端部８４の形状は、上述した配置ができ、加熱殺菌モードでのボイラー７０から冷水コック４０内に送られる温水の温度と、通常使用モードでの冷水コック４０からの冷水の注出量が安定的に確保できる流路であれば、如何なる形状でも良い。しかしながら、コック側端部８２の先端部が半円形であり、コック側流路形成部８３の先端部が切り欠き状に形成され、また、タンク側端部８４の左右両側縁に切り欠き状のタンク側流路形成部８５が形成されていることが好ましい。このような構成にすると、上述した殺菌時の温水の温度と冷水の注出量の安定的な確保ができ、さらに、殺菌時の温水の最高温度到達時間の短縮、殺菌時の温水の温度安定性の向上、殺菌時の温水の最高温度の保持時間の延長が促進される。なお、上述したコック側流路形成部８３およびタンク側流路形成部８５の具体的態様については、コック側端部８２またはタンク側端部８４において、飲料水の流路を確保できるものであれば如何なるものでもよく、例えば、孔状またはメッシュ状に形成してもよい。また、本実施形態では仕切部材８０の両端部にそれぞれ、切り欠き状のコック側流路形成部８３とタンク側流路形成部８５を形成したが、片側端部だけに流路形成部を形成してもよい。その場合は、コック側端部８２に形成することが、冷水コック４０内の細部まで温水をいきわたらせることができ、殺菌効果を向上させることができるため好適である。
【００３０】
つぎに、加熱殺菌時における温水の流動について、図１および図２に基づいて説明する。
【００３１】
まず、ボイラー７０によって加熱された温水は、飲料水の温度差による対流現象によって、第２配管９１内を上昇し、第１配管９０内の下側領域９０ｂに導入される（図２参照）。
【００３２】
次に、第１配管９０の下側領域９０ｂ内に導入された温水は、仕切部材８０の仕切面８１によって、冷水コック４０側および冷水タンク３０側の流れに分岐する。
【００３３】
次に、下側領域９０ｂを冷水コック４０側に向けて流動する温水は、冷水コック４０内に導入され、冷水コック４０の内壁部およびコック側端部８２の間隙やコック側流路形成部８３を通じて、第１配管９０内の上側領域９０ａに移行し、上側領域９０ａにおいて冷水タンク３０側に向けて流動する。このため、下側領域９０ｂを冷水コック側に向けて流動した温水は冷水コック４０内の細部まで温度を保ったままいきわたることができ、温水の温度と飲料水の注出量とを安定的に確保でき、さらに、殺菌時の温水の最高温度到達時間の短縮、殺菌時の温水の温度安定性の向上、殺菌時の温水の最高温度の保持時間の延長が促進され、冷水コック４０内の殺菌効果を高めることができる。
【００３４】
他方、仕切部材８０によって分岐し、下側領域９０ｂを冷水タンク３０側に向けて流動する温水は、第１配管９０の屈曲部９０ｃ付近において、タンク側端部８４のタンク側流路形成部８５を通じて第１配管９０内の上側領域９０ａに移行し、上述した上側領域９０ａを冷水タンク３０側に向けて流動してきた温水と合流し、冷水タンク３０内に導入される。
【００３５】
そして、このように冷水タンク３０内に導入された温水は、第３配管９２を通じてボイラー７０に再び戻される。
【００３６】
つぎに、冷水注出時における冷水の流動について、図３に基づいて説明する。
【００３７】
冷水タンク３０内から第１配管９０内に導入された冷水は、仕切部材８０のタンク側端部８４付近において、タンク側流路形成部８５を通じて、第１配管９０内の上側領域９０ａおよび下側領域９０ｂに分岐し、上側領域９０ａおよび下側領域９０ｂにおいて、冷水コック４０側に向けてそれぞれ流動する。
【００３８】
第１配管９０内の上側領域９０ａを流動する冷水と第１配管９０内の下側領域９０ｂを流動する冷水とは、仕切部材８０のコック側端部８２付近において、コック側流路形成部８３を通じて合流し、合流した冷水は、冷水コック４０内の冷水注出路内に導入され、冷水コック４０から外部に注出される。このため、冷水タンク３０から冷水コック４０までの冷水の流路は仕切部材８０の形成により阻害されることなく、冷水コック４０から外部への注出量を安定的に確保することができる。
【実験例】
【００３９】
つぎに、本実施形態の飲料サーバー１０の効果を確認するために、図４〜図７に示す第１実験例〜第４実験例ごとに、後述する各測定箇所Ａ〜Ｃの温度測定、および、殺菌効果の確認を行った。
【００４０】
初めに、各実験例の概略構成については、以下の通りである。
【００４１】
［第１実験例］
第１実験例では、一般的に普及している飲料サーバーと同等の配管系統とし、図４に示すように、一端をボイラー７０に連結された第２配管９１の他端を冷水タンク３０に連結した。
【００４２】
［第２実験例］
第２実験例では、図５に示すように、一端をボイラー７０に連結された第２配管９１の他端を第１配管９０の中間部に連結した。なお、第１配管９０内には、仕切部材８０を設置していない。
【００４３】
［第３実験例］
第３実験例では、図６に示すように、第２実験例の飲料サーバーの第１配管９０内に仕切部材８０を設置した。設置した仕切部材８０は、図６示すように、コック側流路形成部８３及びタンク側流路形成部８５が形成されていないタイプの仕切部材８０ａを使用した。仕切部材８０ａは、第１配管９０の内径幅と同寸とし、長さは、図２に示すように、冷水コック４０側の端部は冷水コック４０内に飲料水の流路を形成するよう設置する（仕切部材８０ａの端部を冷水コック４０内の端面に接触させない）とともに、冷水タンク３０側の端部は第１配管９０の屈曲部９０ｃ付近まで届く長さとした。
【００４４】
［第４実験例］
第４実験例では、第３実験例の飲料サーバーの第１配管９０内設置した仕切部材８０を、図７に示すように、コック側流路形成部８３及びタンク側流路形成部８５が形成されている仕切部材８０ｂとした。仕切部材８０ｂは、幅及び長さは仕切部材８０ａと同等とした。さらに、仕切部材８０ｂでは、コック側流路形成部８３を仕切部材８０ｂのコック側端部両側縁から中央部に向かう二等辺三角形の切り欠き状とし、他方、タンク側端部８４の先端部を半円形状に形成するとともに、この部分から冷水コック４０側に向けて矩形の切り欠き状のタンク側流路形成部８５を形成した。
【００４５】
次に、上述した温度の測定箇所Ａ〜Ｃについては、以下の通りである。
【００４６】
図４〜図７に示すように、測定箇所Ａは、冷水タンク３０内であって、具体的には、冷水タンク３０の下部で冷水タンク３０の底部には当接しない箇所である。
また、測定箇所Ｂは、第２配管９１の出口付近であって、具体的には、第１実験例では、第２配管９１の冷水タンク３０近傍であって冷水タンク３０底部には当接しない箇所であり、第２〜第４実験例では、第２配管９１の第１配管９０の近傍である。
さらに、測定箇所Ｃは、いずれも第１配管９０の出口付近であって、具体的には、第１配管９０の冷水コック４０近傍である。
【００４７】
次に、各測定箇所Ａ〜Ｃの温度測定方法については、以下（１）〜（３）の手順とした。
【００４８】
（１）サーモロガー（安立計器株式会社製、ＡＭ−８００１Ｋ）に接続した温度センサー（株式会社ジェイ・サーモセンサー、Ｋ型熱電対、φ０．１ｍｍ）の先端を各測定箇所Ａ〜Ｃに取り付けた後、製品水を冷水タンク３０および温水タンク５０に充填した。
（２）次に、電源を入れて飲料サーバー１０を稼働し、冷水タンク３０内の冷水が１０℃以下になるまで１〜１．５時間定常運転させた。
（３）最後に、クリーンボタン（殺菌開始ボタン）ＯＮと同時にサーモロガーの温度記録をスタートさせ、各測定箇所Ａ〜Ｃの温度を１分おきに記録した。
【００４９】
次に、殺菌効果の確認方法については、以下の１〜３の手順の通りである。
本実験例においては、市販飲料水に、一般細菌のうち水の衛生指標として不検出が定められている大腸菌（Ｅｓｃｈｅｒｉｃｈｉａ  ｃｏｌｉ）を接種した飲料水を用いて、殺菌効果の確認を行った。なお、本実施例においては、１０３〜１０４個で推移した飲料サーバー中の微生物に対しても実用上十分な殺菌効果となる、後述する殺菌効果（Ｄ）が４Ｄ以上あるかを検証した。
【００５０】
１．大腸菌懸濁液の作成
（１）大腸菌をＳＣＤ培地（ソイビーンカゼインダイジェスト培地（日本製薬（株）製））で３０℃２４時間培養した。
（２）次に、培養液を遠心分離器で１００００ｒｐｍ・１０分間遠心し、菌体を沈降させ、培地を取り除いた後、滅菌蒸留水を加えて菌体を懸濁させた。この遠心から懸濁までの操作を２回繰り返し、大腸菌懸濁液を作成し供試菌とした。
【００５１】
２．飲料サーバー内の殺菌および冷水のサンプリング
（１）洗浄・殺菌した飲料サーバー１０に、市販の飲料水をサーバー内部の冷水タンク３０および温水タンク５０に充填した。
（２）次に、電源を入れて飲料サーバー１０を稼働し、冷却タンク３０内の冷水が１０℃以下になるまで１〜１．５時間定常運転させた。
（３）次に、大腸菌の菌数が１０５〜１０６個／１００ｍｌの濃度になるように、冷水タンク３０に作成した大腸菌懸濁液を接種した。
（４）次に、冷水コック４０を操作して、冷水を容量１２０ｍｌの滅菌プラスチックボトル１本に１００ｍｌ充填した。
（５）次に、これら滅菌プラスチックボトルに充填された冷水サンプルは、初発菌数測定用として速やかに微生物試験に供した。
（６）次に、クリーンボタンをＯＮにし、冷水タンク３０内および配管の殺菌を実施した。この際、ボイラー７０から供給する温水の温度は８５℃以上であり、この温水を１分間供給した。
（７）次に、殺菌工程が終了し、冷水タンク３０が通常運転温度（１０℃以下）になった後、冷水コック４０を操作して冷水を容量１２０ｍｌの滅菌プラスチックボトルに１００ｍｌずつ３本充填した。
（８）次に、これら滅菌プラスチックボトルに充填された冷水サンプルは、殺菌後の菌数測定用（生残菌数）として速やかに微生物試験に供した。
【００５２】
３．微生物検査方法
（１）３９．３ｇ／ＬのＸＭ−Ｇ寒天培地（日水製薬（株）製）を蒸留水に溶解後、温度１２１℃において１５分間にわたって高圧蒸気滅菌した。滅菌後、滅菌済プラスチックシャーレ（直径９０ｍｍ、深さ１５ｍｍ）に前述した溶解物を約１５ｍｌずつ分注し、ＸＭ−Ｇ寒天平板培地とした。
（２）次に、初発菌数測定用としてサンプリングした冷水を１ｍｌとり、滅菌蒸留水９ｍｌにいれて１０倍希釈液を作成した。さらに１０倍希釈液から１ｍｌとり滅菌蒸留水９ｍｌにいれて１００倍希釈液を作成した。同様の操作をくりかえし、１００００倍までの希釈液を作成した。１００倍、１０００倍、１００００倍の希釈液からそれぞれ１ｍｌずつを１枚の０．４５μｍ孔径のメンブランフィルタでろ過し、メンブランフィルタをＸＭ−Ｇ寒天平板培地にのせ、３５℃２４〜４８時間培養し、青色を呈したコロニー数を計測した。このときの計測数を１００ｍｌあたりの個数に換算し、初発菌数とした。
（３）次に、殺菌後の菌数測定用としてサンプリングした冷水を１００ｍｌとり、１枚の０．４５μｍ孔径のメンブランフィルタでろ過し、メンブランフィルタをＸＭ−Ｇ寒天平板培地にのせ、３５℃２４〜４８時間培養し、青色を呈したコロニー数を計測した。このときの計測数を殺菌後の生残菌数とした。
（４）最後に、下記計算式を用いて菌数の対数減少値を算出し、殺菌効果（Ｄ）とした。
殺菌効果（Ｄ）＝ＬＯＧ（初発菌数）／ＬＯＧ（生残菌数）
例えば、１００個の菌数が１０個に減少した場合、ＬＯＧ（１００）／ＬＯＧ（１０）＝２／１＝１Ｄとなる。
【００５３】
４．実験結果
第１実験例においては、冷水コック４０の近傍部である第１配管９０内の測定箇所Ｃの温度はいずれの時間においても４０℃未満で大腸菌の殺菌に必要な７５℃以上を大きく下回り（図４中グラフ参照）、殺菌効果が期待できないことが明確であった。このため、微生物検査は割愛した。
【００５４】
第２実験例においては、冷水コック４０の近傍部である第１配管９０内の測定箇所Ｃの温度は一定の昇温効果が認められ、一端を温水供給源（ボイラー７０）に連結された第２配管９１の他端を第１配管９０の中間部に連結した効果が認められた。しかし、測定箇所Ｃの最高温度は７５℃であり、７５℃の保持時間は５分間に留まった（図５中グラフ参照）。そして、生残菌数は１００個オーダー、殺菌効果は３．９Ｄに留まった（図５中表参照）。このため、微生物が１０４個存在する飲料水中では殺菌不足になる可能性があり、殺菌効果としては不十分な結果となった。
【００５５】
第３実験例においては、冷水コック４０の近傍部である第１配管９０内の測定箇所Ｃの温度は、上述した第１実験例，第２実験例，および後述する第４実験例と比較すると、最高温度に到達するまでの間の温度の上下動が大きく、安定性に欠けていた。これは、ボイラー７０の加熱により温水に泡が含まれ、この泡が仕切部材８０に接触することが原因であった。一方、仕切部材８０ａを設置することにより測定箇所Ｃの最高温度は９５℃に達し、７５℃以上を１１分間保持していた（図６中グラフ参照）。そして、生残菌数は１０個オーダーとなり、殺菌効果は４．９Ｄと上昇し（図６中表参照）、仕切部材８０ａを設置することによる殺菌効果が認められた。
【００５６】
第４実験例においては、冷水コック４０の近傍部である第１配管９０内の測定箇所Ｃの最高温度は９３℃であり、第３実験例に比して到達温度は低くなった。しかしながら、クリーンスイッチＯＮ後１０分程度で７５℃以上に温度が上昇し、一定の昇温効果が認められた。また、仕切部材８０ｂにコック側流路形成部８３およびタンク側流路形成部８５を形成することで、温水中の泡のコック側流路形成部８３およびタンク側流路形成部８５から第１配管９０内の上側領域９０ａへの速やかな移動、冷水コック４０内の細部までの加熱殺菌、および温水を冷水タンク内に速やかに流すことが可能となった。この結果、温水の温度の安定性が向上し、測定箇所Ｃの温度が７５℃以上となる時間が５３．５分間に延長された（図７中グラフ参照）。そして、生残菌数は０、殺菌効果は６．４Ｄ以上となり（図７中表参照）、仕切部材８０ｂに流路形成部を形成することにより、微生物が完全に不検出となる十分な殺菌効果が認められた。
【００５７】
以上のように実施した実験例から、第３実験例および第４実験例で示したように、第２配管９１を第１配管９０に連結するとともに、第１配管９０内に仕切部材８０ａ、８０ｂを挿入することにより、冷水タンク３０および配管系の到達温度を高くすることができ、より短時間で冷水タンク３０内の製品水を適正に殺菌することができ、衛生的な飲料水を提供できることが判った。また、第４実験例で示したように、仕切部材８０ｂにコック側流路形成部８３およびタンク側流路形成部８５を形成することにより、殺菌時の温水の最高温度到達時間の短縮、殺菌時の温水の温度安定性の向上、殺菌時の温水の最高温度の保持時間の延長が促進され、より殺菌効果を高めることが判った。
【００５８】
以上、本発明の実施形態を詳述したが、本発明は上記実施形態に限定されるものではなく、特許請求の範囲に記載された本発明を逸脱することなく種々の設計変更を行なうことが可能である。
【００５９】
例えば、上述した実施形態では、加熱殺菌用の温水を供給する温水供給源としてボイラーを利用したが、温水供給源の具体的態様はこれに限定されず、例えば、冷水タンクと温水タンクとの間に循環用配管や循環ポンプ等を設け、温水タンクを温水供給源として利用してもよい。
また、上述した加熱殺菌処理は、タイマー制御によって定期的に行うように構成してもよく、使用者から指示があった時に行うようにしてもよい。
さらに、加熱殺菌時に、冷水コックを取り外し、冷水コックの代わりにキャップを取り付けてもよく、この場合、加熱殺菌効果を向上することができるばかりでなく、取り外した冷水コックに対して別途に、一般的に行われている殺菌処理を施すことができる。
【符号の説明】
【００６０】
１０    ・・・  飲料サーバー
２０    ・・・  水ボトル
３０    ・・・  冷水タンク（貯水タンク）
４０    ・・・  冷水コック
５０    ・・・  温水タンク
６０    ・・・  温水コック
７０    ・・・  ボイラー（温水供給源）
８０，８０ａ，８０ｂ    ・・・  仕切部材
８１    ・・・  仕切面
８２    ・・・  コック側端部
８３    ・・・  コック側流路形成部
８４    ・・・  タンク側端部
８５    ・・・  タンク側流路形成部
９０    ・・・  第１配管
９０ａ  ・・・  上側領域
９０ｂ  ・・・  下側領域
９０ｃ  ・・・  屈曲部
９１    ・・・  第２配管
９２    ・・・  第３配管
９３    ・・・  第４配管
９４    ・・・  第５配管
【図１】
2016098025.tif 000003
【図２】
2016098025.tif 000004
【図３】
2016098025.tif 000005
【図４】
2016098025.tif 000006
【図５】
2016098025.tif 000007
【図６】
2016098025.tif 000008
【図７】
2016098025.tif 000009